(57)【特許請求の範囲】
【請求項１】
縦方向に縦長の長穴を設けるとともに半円中央部に平坦部を形成し、縦方向に転がり前記平坦部より外れると半円の曲線に沿って平坦面上で前または後に転がり可能な半円状の揺動部材と、
前記半円状の揺動部材の両側上端を固定して渡し、竿を置く竿置きとする渡しバーと、  筏の一部にねじ等の固定部材により固定される固定部を有し且つこれより立設された柱部の上に、平坦面となる平坦板を設けるとともに、前記揺動部材の長穴に隙間が形成される程度に突き抜ける立設部材を設けた平面状の平板台と、
を備えてなることを特徴とする釣り竿の設置装置。  
【請求項２】
柱部の上に平坦板を設けて該平坦板上に固定した立設部材を設けた平板台と、
、曲線に沿って前部または後部に転がり可能な半円状の縦長の長穴に前記立設板を
入れてなる揺動部材と、
前記半円状の揺動部材の一方の受け部と他方の受け部とを連結した渡しバーと、
前記受け部方向にスライド可能で該渡しバーの中央部に固定する固定部と、
前記渡しバーの中央部に固定した前記固定部材にバーを通して、一方にリールを設置する後部受け部を設けると共に、他方に釣り竿の落下防止部を設けて釣り竿を乗せる前部請け部と備えた竿支持台と、
を備えてなることを特徴とする釣り竿の設置装置
【発明の詳細な説明】
【技術分野】
【０００１】
本発明は、海や湖等で釣りをする場合に使用する釣り竿の設置装置、特に船や釣り用の筏（単に筏とする）に載って釣りをする場合に釣り竿を設置して、波があっても上下する船や筏の影響が釣り竿の先端部に殆ど影響せず、確実に魚の当たりや或いは餌への食い付きを敏感に感知することのできる釣り竿の設置装置に関する。
【背景技術】
【０００２】
通常、海などで釣りをする場合は、釣り人は船に載るか或いは筏の上に載って釣り竿に設けた仕掛けを投入して魚の当たりを待つ。そのような場合、釣り竿は仕掛けに餌を付けて置き竿にしたり、釣り竿をこの置き竿具の上に置いたり、立て掛けたりして、魚がかかるのを待つ。
【０００３】
よく知られた置き竿具の例としては、図１０に示すように、船や筏の台座（板材）に固定する置き竿具２０のねじ止め２１を下面に設けた台座２２と、縦棒として上下に伸縮可能として上部に竿の付け根近傍や竿に取り付けたリールを載せる竿受け部２３と、先端部に竿受け２４を設けた長い棒２５と、該長い棒２５の付け根に取り付け前記台座２２のボス部２２ａに取り付け前記長い棒２５の上下方向の角度を調整できるようにした調整ねじ２６と、で構成したものが使用される。この場合、長い棒２５は数本の短い棒を長手方向（図１０の場合３本）に嵌め込み式として長さが伸縮調整できるようにしてある。
【０００４】
また、他の置き竿具３０として、図９に示すように、床設置台３１と立設棒３２とを軸３３で回転可能に組み立てる折り畳み式竿台３５と、一方に竿の付け根近傍やリールを載せる受け部３４と他方に竿の先端部近傍が落下しないようにズレ防止具３６ａを設けた受ける受け部３６とを設けた長い棒３７と、該長い棒３７を横置きにスライドする横竿受け台３８と、で構成されるものが使用されている。なお、前記横竿受け台３８は、前記立設棒３２の頂部に太い竿保持部材として形成され、長い竿３７を通すようにしてある。
【０００５】
船釣り用の釣り竿保持具としては、長駆Ａと短躯Ｂよりなる台の上に半円状のアームをアーム固定盤に取り付けねじで固定し、該アームの両端部に竿軸を逆向きとしたフックと設置部に固定したものが知られている。こうしてどんな船縁形態にも対応できる万能、計量でコンパクトで、かつ、収納も簡単で安全な船釣り用の釣り竿保持具が提案されている（特許文献１）。
また、釣り竿の前方への抜け落ちが防止され、速やかに煽り動作ができると共に必要に応じて釣り竿の取り替えが容易にできるものとして、船べりに係止するためのクランプと、クランプ部に回動と前後位置が変更可能な湾曲した竿受け基部と、基部を前側に前後に回動可能に取り付けられたＹ字形の前方の顔受け部と、基部の後側に前後に回動可能に取り付けられた後竿受け部と、釣竿に取り付けられた釣竿緊締具と、で構成された竿掛装置が提案されている。この引用例では、基部はネジで固定されるようになっている（特許文献２）。
また、エアチューブのゴム座に対して竿受を確実に固定し、釣竿やリールをインフレータブルボートに安定良く取り付けるものとして、インフレータブルボートのゴム座に外嵌しこれを保持する直方体状の部屋を備え、かつ竿受けが取り付けられる嵌合保持部と、この嵌合保持部の下部から延出され、ボートのエアチューブの周面に沿う円弧状の下面を備えたチューブ当て座と、上記ゴム座の貫通孔と合致して上記嵌合保持部の室壁に形成された少なくとも１個の貫通孔と、この嵌合保持部の貫通孔を介し上記ゴム座の貫通孔に挿入されるロックピンとを備えてなり、このロックピンの一部に上記ゴム座の貫通孔にねじ込み可能な雄ねじを形成したインフレータブルボートの竿受け用固定装置が提案されている（特許文献３）。
【先行技術文献】
【特許文献】
【０００６】
特許文献１．特開２００３−２０４７４８
特許文献２．特開２００１−０９５４５２
特許文献３．特開平１１−０４６６５４
【発明の概要】
【発明が解決しようとする課題】
【０００７】
前記図１０や図９に示す竿保持具は、波により船や筏が上下すると一緒にこれらの置き竿台や竿も上下し、波の上下運動と竿置き具や上記特許文献１〜３に設置された竿の動きは、常に波の上下運動と一致する。この場合、波で竿が持ち上がるとき、竿先が海側に引き込まれ、さも魚がかかったような動きとなることがある。このため、波の上下運動は魚が餌に食いついて竿先を引っ張った（曲げた）のか、波の上下運動によって引っ張られたのか、容易に判別し難いことが多い。よって魚がかかった、と思って釣り竿を上げてもそれは単に波の浮力によって竿先が曲げられたに過ぎないことが多い。一方、竿先が曲がったとき、単に波の上下運動で竿先が曲げられたのに違いないと思ったところ、魚が餌に食いついて曲がったのだ、と後で気づくことがある。このように波の上下運動と共に竿先も同じ上下運動をすると、竿先が曲がり、魚の食い付きと波の上下運動との区別が判らないことが圧倒的に多く、このため釣果に影響することが多い。しかしながら、海や湖の上に浮かべた船や筏は波の上下と共に動くから竿も同時に上下に動くことは避けられない。したがって、魚が食いついた時だけ置いた竿に通常の波の上下と異なる動きをさせることは困難である。
【０００８】
上記特許文献１の半円状（円弧状）の竿掛けアームはネジで固定するものであり、特許文献２の基部はネジで固定するものであり、特許文献３の竿受けもネジ付ナットで固定するものである。したがって、いずれも波の上下に従ってこれらの竿掛けアームや基部や竿受けに乗せた釣り竿も、波と同じように上下するため水中における魚の餌の食い付き状態も判りにくい。
【０００９】
本発明は上記する課題に対処するためになされたものであり、波が上下運動しても竿先の位置はあまり変わらず、魚が餌に食いついたときには確実に「魚の当たり」と判り、波の上下運動と区別することのできる釣り竿の設置装置を提供することを目的としている。
【課題を解決するための手段】
【００１０】
すなわち、本発明は上記する課題を解決するために、請求項１に記載の発明は、釣り竿の設置装置１が、縦方向に縦長の長穴２ａを設けるとともに半円中央部に平坦部２ｆを形成し、縦方向に転がり前記平坦部２ｆより外れると半円の曲線に沿って平坦面上で前または後に転がり可能な半円状の揺動部材２と、
前記半円状の揺動部材２の両側上端を固定して渡し、竿１０を置く竿置きとする渡しバー２ｄと、筏の一部にねじ等の固定部材３ａにより固定される固定部３ｂを有し且つこれより立設された柱部３ｃの上に、平坦面となる平坦板３ｄを設けるとともに、前記揺動部材２の長穴２ａに隙間が形成される程度に突き抜ける立設部材３ｅを設けた平面状の平板台３と、
を備えてなることを特徴とするものである。
【００１１】
また、本発明は上記する課題を解決するために、請求項２に記載の発明は、釣り竿（１０）の設置装置が、柱部（３ｃ）の上に平坦板（３ｄ）を設けて該平坦板（３ｄ）上に固定した立設部材（３ｅ）を設けた平板台３と、、曲線に沿って前部または後部に転がり可能な半円状の縦長の長穴に前記立設板（３ｅ）を
入れてなる揺動部材（２）と、
前記半円状の揺動部材（２）の一方の受け部（２ｂ）と他方の受け部（２ｃ）とを連結した渡しバー（２ｄ）と、
前記受け部方向にスライド可能で該渡しバー（２ｄ）の中央部に固定する固定部材（２ｅ）と、
前記渡しバー（２ｄ）の中央部に固定した前記固定部材（２ｅ）にバー（４ａ）を通して、一方にリール（８）を設置する後部受け部（４ｂ）を設けると共に、他方に釣り竿（１０）の落下防止部を設けて釣り竿（１０）を乗せる前部請け部と備えた竿支持台（４ｃ）と、
を備えてなることを特徴とするものである。
【発明の効果】
【００１２】
請求項１に記載の釣り竿の設置装置を上記手段とすると、船や筏に設置したとき、波の上下運動と魚が餌に食いついたときとの差の動作の相違が明確に判る。すなわち、波が上下運動した場合、船や筏も共に上下運動するが、揺動部材は半円の曲線に沿って平坦部より外れると平面上で曲線に沿って前後に転がるので釣り竿の竿先は波の上下に係わらず、常に一定の位置にある。なお、前記平坦部は揺動部材を安定させる役割をする。第２の実施例の場合は直ちに半円に沿って転がるが、釣り竿の竿先はあまり変わらない。このように、本発明の釣り竿用の設置装置は波の上下運動に係わらず、釣り竿の竿先は常に大体一定の位置となるので魚が餌に食いついたときには、竿先が曲がり、それは「魚の当たりもしくは餌への食い付き」であることがはっきりわかる。また、前記請求項１の揺動部材２には平坦部は必ずしも必要ではなく、波が無いとき敏感に反応する。
【００１３】
このため本発明の釣り竿の設置装置を使用すると、魚がつれる確率は高くなり、釣果が極めて良くなる。特に、黒鯛（チヌ）の場合、当たりが微妙であるため魚をかける（合わせる）タイミングが非常に重要であるが、筏等で本発明の釣り竿用の設置具を使用すると極めてタイミングを合わせやすくなるため釣果に大きく影響することになる。
【図面の簡単な説明】
【００１４】
【図１】図１は、図１は本発明の第１の実施例の釣り竿用の設置装置の全体斜視図である。
【図２】図（Ａ）２は、本発明の第１実施例の上部斜視図であり、図２（Ｂ）は、下部斜視図である。
【図３】図３（Ａ）は、本発明を構成する揺動部材の側面図であり、図３（Ｂ）は、揺動部材の他の実施例の側面図であり、図３（Ｃ）は、揺動部材の更に他の実施例の側面図である。
【図４】図４は、本発明の釣り竿の設置装置を筏の上に設置して、餌を海中に投入した状態の全体側面図である。
【図５】図５は、本発明の釣り竿の設置装置を筏に載せて使用し、餌を海中に投入し、魚が餌に食いついた状態を示す全体側面図である。
【図６】図６（Ａ）は、本発明の釣り竿の設置装置を筏に設けて、波の上下運動で筏（の浮き）が波の上に乗っ状態を示す側面図であり、図６（Ｂ）は、本発明の釣り竿の設置装置を設けて、波の上下運動で筏（の浮き）が波と波との間の谷に入った状態を示す筏の端部の側面図である。
【図７】図７は、本発明の第２の実施例の釣り竿用の設置装置の全体斜視図である。
【図８】図８（Ａ）は、本発明の第２の実施例で筏に乗せた本発明の釣り竿の設置装置の全体側面図であって、釣り竿を筏に乗せた状態で、筏から遠くに出す状態を示し、図８（Ｂ）は、本発明の第２の実施例で釣り竿の設置装置の全体側面図であって、釣り竿を筏に乗せた状態で、筏から近くに釣り竿を出す状態を示す図である。
【図９】図９は、従来の釣り竿の別の設置装置の全体斜視図であて釣り竿を水平に設置する場合の釣り釣り竿の設置具である。
【図１０】図１０は、従来の釣り竿の設置装置の全体斜視図であて釣り竿を斜め上方に設置する場合の釣り竿の設置装置である。
【発明を実施するための形態】
【００１５】
以下、本発明を実施するための形態およびその釣り竿用の設置装置について説明する。  図１は本発明の第１の実施例の釣り竿用設置装置１の全体斜視図であって、釣り竿１０を載せた状態を示す図である。本発明の釣り竿用設置装置１において、２は、全体が半円状（円弧状）の揺動部材であって、縦方向中央部下端部に縦方向に縦長の長穴２ａを設けるとともに中央部に平坦部２ｆを形成し、傾斜させるとこの半円の曲線に沿って前記平坦部２ｆを超えると平面上（後述する平坦板３ｄ上）で前または後に転がり可能な揺動部材である。２ｄは、前記半円の揺動部材２の両側上端（２ｂ、２ｃ）を固定して渡した釣り竿置きとする渡しバーである。該渡しバー２ｄの後部にはリール８を置く後部受け部２ｂが設けられ、前部には竿受け部２ｃが設けてある。なお、前記前記平坦部２ｆが設けてあると前記揺動部材２は、多少の波があっても安定する。しかし、平坦部２ｆはなくても良い場合もある。
【００１６】
また、３は、筏１１（図４，図５参照）の一部にねじ等の固定部材３ａにより固定される固定部３ｂを有し且つこれより立設された柱部３ｃの上に、平坦面とした平坦板３ｄを設けるとともに前記竿揺動部材２の長穴２ａに隙間が形成される程度に突き抜ける立設板３ｅを設けた平板台である。該平板台３の前記立設板３ｅは、図の如く三角形でなく、矩形状であっても円弧状であっても良い。
【００１７】
本発明の第１の実施例の釣り竿設置装置１は、図２に示すように、上部の釣り竿設置部（Ａ）と、下部の釣り竿設置部（Ｂ）と、に分けて組み立てられる。
【００１８】
すなわち、上部釣り竿設置部は、図２（Ａ）の斜斜図に示すように、曲線に沿って平面上で転がり可能な中央部に平坦部２ｆを形成した半円状の揺動部材２と、一方に竿の手元側近傍やリール８を設置する後部受け部２ｂと、釣り竿１０の先端部近傍には竿の横方向へ落下防止できるようにした前部受け部２ｃとを備えた竿支持台を兼ねる渡しバー２ｄと、から構成される。
また、下部の斜視図２（Ｂ）に示すように、下部３は、ねじ３ａ等のような固定部材で固定する固定部３ｂを有しこれより立設する柱部３ｃと、該柱部３ｃに固定される平坦板３ｄと、更に該平坦板３ｄに立設され前記揺動部材２の長穴２ａを突き抜けて通す立設した突き抜ける立設板３ｅとを設けた平板台３の全体斜視図である。この場合、前記立設板３ｅを長穴２ａに嵌めたときある程度揺動したときこの揺動を止める揺動止め５が設けてある。そして、本発明の釣り竿用設置装置１は、上部Ａの竿支持台２の長穴２ａに、下部Ｂの平板部３の突き抜け部材３ｅを通すだけで組み立てられる。なお、前記ねじ等の固定部材３ａにより固定する固定部３ｂには、幅広で柱部３ｃより幅が広く安定させる固定部を設けると、全体が安定しやすくなる。
【００１９】
なお、前記ねじ等により固定する固定部３ｂには、図１や図２の実施例のように、幅広で柱部３ｃより横幅を長く安定させるようにすると、本発明の釣り竿の設置具１はより安定する。
【００２０】
図３（Ａ）は、前記揺動部材２の側面図である。前記揺動部材２には半円状の中央下端部に平坦部２ｆが形成されている。前記揺動部材２の平坦部２ｆにより多少の揺れでも釣り竿用設置装置１の全体が安定する。但し、この平坦部２ｆは長くはせず、比較的短くした方が良い。そして、該揺動部材２は揺動して平坦部２ｆを超えると平坦板３ｄの上でスムーズに前後どちらかに転がる。なお、平坦部２ｆは半円部の端２ｇ、２ｈの間を直線で結んだとき平坦であれば良く、図３（Ｂ）や図３（Ｃ）に示すように、途中の形状は問わない。
【００２１】
図４は、本発明の第１の実施例の釣り竿用設置装置１を筏１１の上に設置して、餌を海中に投入した状態の全体側面図であり、図５は、魚が餌に食いついたときの全体側面図である。そして波のない状態では魚が餌に食いつくと、釣り竿の穂先にそのまま魚の当たりとなって、釣り人に魚が食いついたことを知らせてくれる。この場合、魚に抵抗感を与えることもないので魚は餌に食い付きやすい。したがって釣り人はこの穂先の動きに合わせるだけで確実に魚を掛け合わせることができる。
【００２２】
図６は船や筏を浮かべた海や湖に上下の波が立った場合の本発明の釣り竿の設置具に乗せた釣り竿の挙動を示す図である。筏１１の下部には浮力を作用させる浮き１２が数カ所設けてある。図６（Ａ）は、筏１１の端部の浮き１２が波の頂上に乗ったときの状態を示す釣り竿の設置具の側面図である。この場合、本発明の釣り竿の設置装置１は、一方の端の筏１１の浮き１２が波の頂上に乗ると筏１１の端部が持ち上がる。そして平板台３の平坦板３ｄは、筏１１の表面と同じ傾斜をするが、該平坦板３ｄは筏１１に固定されているため半円状の揺動部材２  は矢印のように前側へ回転（揺動）し前側が下がるように傾斜する。揺動部材２や釣竿１０の受け部材となる渡しバー２ｄは、平坦部２ｆを超えると、前側に下がるように傾斜する。すなわち、釣り竿１０は、平坦部２ｆを超えると、釣り竿１０の穂先１０Ｐの位置は元の状態を維持する。
【００２３】
次に、図６（Ｂ）に示すように、次の波では波と波との間の谷に浮き１２が来る。このときには筏１１の浮き１２は波と波との間の谷に入る状態となる。そして、筏１１の端部は下がるため端部は前に傾斜する。そして平板台３の平坦面３ｄは、筏１１に固定されているため筏１１と同じ傾斜となる。しかし、半円状の揺動部材２は矢印のように後側へ回転（揺動）し後側が下がるように傾斜し、揺動部材２や渡しバー２ｄは、前側が上るように傾斜する。すなわち、釣り竿１０は、平坦部２ｆを超えると、釣り竿１０の穂先１０Ｐの位置は元の状態を維持する。したがって、いずれの場合も釣り竿１０の穂先１０Ｐの位置は元の状態を維持する。
【００２４】
上記するように、本発明の釣り竿の設置装置によれば船や筏を浮かべる海や湖が波の立たない状態でも、波が立った状態でもいずれの状態でも釣り竿の穂先の位置は変わらない。したがっていつも魚の餌の食い付きか、そうでないかを直ちに判断することができる。
【００２５】
図７は本発明の第２の実施例の釣り竿の設置装置の全体斜視図であって、釣り竿１０を載せた状態を示す図である。本発明の釣り竿の設置装置１は、平板台３の柱部（３ｃ）の上の平坦板（３ｄ）上に固定した立設部材（３ｅ）を
縦長の長穴（２ａ）に入れ、該平坦板（３ｄ）上で曲線に沿って前部または後部に転がり可能な半円状の揺動部材（２）が設けてある。そして、該揺動部材２は半円状で、上部には、一方の端部２ｂと他方の端部２ｃとを連結した渡しバー２ｄと該渡しバー２ｄの中央部に固定した固定部材２ｅとより形成されている。また、この揺動部材２は、曲線に沿って平面上で転がり可能である。前記平板台３の下部には、船や筏（いかだ）の平坦部にねじ等の固定部材３ａにより固定する固定部３ｂを有しこれより立設する柱部３ｃの上には、平坦面を有する平坦板３ｄを設けると共に該平坦板３ｄに、前記揺動部材２の長穴２ａに隙間が形成される程度に突き抜ける立設板３ｅを設けてある。前記渡しバー２ｄの中央部に固定した固定部材２ｅを通し、釣り竿１０を置く竿置きバー４ａと一方に竿の手元近傍やリール８を設置する竿の後部受け部４ｂと他方に竿の落下防止部材を設けて先端部近傍を設置する前部受け部４ｃとより成る竿支持台４と、で構成されている。この場合、前記揺動部材２には、第１の実施例のように、平坦部２ｆを形成していないが、形成しても良い。
【００２６】
図８（Ａ）は、本発明の第２の実施例の釣り竿の設置装置１の全体側面図であって、釣り竿１０を筏１１のなるべく前へ出す場合を示す。すなわち、竿受け４は、渡しバー２ｄの中央部に固定した固定部材２ｅを緩めてなるべく海側にスライドさせ再度固定する。こうして仕掛けを遠くに投入することができる。また、図８（Ｂ）は、釣り竿１０を筏１１に乗せた状態で、なるべく手前に設置する状態を示す。この図に示すように、竿受け４は、スライドさせ釣り竿を筏１１の近くに設置して仕掛けを投入することもできる。このように、本発明の釣り竿の設置装置は筏１１のなるべく遠くで釣ったり、近くで釣ったりすることができるので、釣りに邪魔な浮遊物を避けるのに便利である。これらの場合、竿支持台４を移動させるには渡しバー２ｄと竿指示台４を固定しているねじ１３を緩めて移動させ、適宜の位置へ来たら締め込むようにする。なお、場合によっては、揺動部材２の中央の平坦部２ｆは無くしても良い。なお、これらの釣り竿１０を前後に調整して置くことは第１の実施例でも可能である。
【００２７】
第１の実施例では、前記渡しバー２ｄは、「竿置き」用としていたが、第２の実施例では、平板台３の上に置いた平坦板３上に固定した立設板３ｅを前記揺動部材２の縦長の長穴２ａに入れ、連結する渡しバー２ｄに設けた固定部材２ｅを通した渡しバー２ｄの上の竿受け台４がその竿受けの役目をし、釣り竿１０は、該竿受け台４の上に設置される。また、渡しバー２ｄに固定される固定部材２ｅは、止めねじ１３を緩めたり、締めたりして渡しバー２ｄを任意の位置へスライドさせ、固定することができる。
【００２８】
本発明の実施例は、以上詳述した説明の如くであるが、第１の実施例と第２の実施例の相違点は、第１の実施例の渡しバー２ｄが釣り竿の設置台となるので、第２の実施例の釣り竿の支持台４の代わりとなる。
【産業上の利用可能性】
【００２９】
いままで困難であった波がある場合と無い場合の釣果の違いを解決し、釣果の良い釣りをする場合の釣り竿設置具として広く製造、販売することができる。このため釣り具業界の産業を活発化し、取引を大いに発展させることができるようになる。
【符号の説明】
【００３０】
１      釣り竿の設置装置
２      半円状の揺動部材
２ａ    長穴
２ｂ    一方の受け部
２ｃ    他方の受け部
２ｄ    渡しバー
２ｅ    スライド可能な固定部材
３      平板台
３ａ    固定用ねじ（固定部材）
３ｂ    固定部
３ｃ    柱部                                                            
３ｄ    平坦板
３ｅ    立設板
４      竿支持台
４ａ    竿置きバー
５      揺動止め
１０    釣り竿
１０Ｐ  釣り竿の竿先
１１    筏
１２    浮き
Ａ    上部の釣り竿設置部
Ｂ    下部の釣り竿設置部
【図１】
0005797440.tif 000002
【図２】
0005797440.tif 000003
【図３】
0005797440.tif 000004
【図４】
0005797440.tif 000005
【図５】
0005797440.tif 000006
【図６】
0005797440.tif 000007
【図７】
0005797440.tif 000008
【図８】
0005797440.tif 000009
【図９】
0005797440.tif 000010
【図１０】
0005797440.tif 000011